(57)【要約】【課題】搬送ミスを早期に検出でき、紙サイズに応じて紙の破れや折れ曲がりなどを確実に検出できる枚葉印刷機の枚葉紙検出装置の提供。【解決手段】枚用印刷機の印刷ユニット２０ａ〜２０ｄ内には紙端検出器５１が設けられる。紙端検出器５１のセンサー５１ｂ、５１ｂは枚葉紙サイズに応じてネジ軸５１ａ上を軸方向に移動可能である。各ユニット毎に枚葉紙Ｐの搬送ミス等を検出でき、また、紙端検出器５１は枚葉紙Ｐの両端の破れや折れ曲がりなどを検出可能となっている。【選択図】図１
2009126113.tif 000002
【特許請求の範囲】
【請求項１】
給紙部と、該給紙部から搬送される枚葉紙を各胴にて搬送しながら印刷を行う１以上の印刷ユニットと、排紙部とを有し、前記印刷ユニットの前記枚葉紙搬送方向上流側端部と前記排紙部には枚葉紙検出器が設けられた枚葉印刷機において、前記印刷ユニットには紙端検出器が設けられており、この紙端検出器は前記枚葉紙の搬送方向と直行する幅方向左右に少なくとも１つずつ設けられ、かつ前記幅方向に移動可能とされたことを特徴とする枚葉印刷機の枚葉紙検出装置。
【発明の詳細な説明】
【技術分野】
【０００１】
本発明は、枚葉印刷機の機内を通過する枚葉紙を検出するべく設けられた枚葉紙検出装置に関するものである。
【背景技術】
【０００２】
一般の枚葉印刷機においては、枚葉紙検出センサという装置が設けられている。従来の構成を図３に示す。枚葉印刷機は主に、給紙部１００、印刷ユニット９００ａ〜９００ｄ、ニスユニット９５０、排紙部２００により構成されている。各印刷ユニット９００ａ〜９００ｄ内にはインキローラー群３００、版胴４００、ゴム胴５００、圧胴６００がそれぞれ設けられている。各圧胴６００間には渡し胴７００が設けられる。符号８００は給紙部１００のフィーダーボード１００ａ上から搬送される枚葉紙を圧胴６００へ渡す給紙胴である。印刷ユニット９００ａには給紙側検出器９６０が設けられている。また、排紙部２００には排紙側検出器９７０が設けられている。この検出器９６０、９７０は枚葉紙の通過を検知すると、図示しない枚葉印刷機の制御部へ検出信号を出力するよう構成されている。制御部は給紙側検出器９６０の検出信号が入力されてから所定時間経過した時、排紙側検出器９７０の検出信号が入力されない場合、枚葉紙の落下等による搬送ミスと判断して警告ブザーを鳴らしたり機械を停止させる制御を行うよう構成されている。
【発明の開示】
【発明が解決しようとする課題】
【０００３】
このような従来の枚葉印刷機の枚葉紙検出装置には次のような問題があった。検出器は印刷機内の枚葉紙搬送方向上流側端部である印刷ユニット９００ａと排紙部２００だけに設けられているため、排紙側検出器９７０が所定時間経過後に枚葉紙を検知しないことが判明するまで枚葉紙の搬送ミスが分からない。よって、枚葉紙が誤ってゴム胴５００やインキローラー群３００の方に入ってしまった場合、早期に機械を停止できないことによる機械の故障につながる可能性がある。また、枚葉紙の搬送ミスが印刷機内のどこで起こったかが把握できず、搬送ミスとなった枚葉紙を探すのに時間がかかる。また、給紙側・排紙側検出器９６０、９７０は枚葉紙の幅方向（各胴の軸方向）中央へ各一つずつ設けられているので、枚葉紙の両側端の破れ等が検知できない。枚葉印刷機においては、圧胴６００、渡し胴７００に設けられたグリッパにて枚葉紙の先端を把持した状態で搬送されるが、枚葉紙の紙尻（後端）が把持されないため、枚葉紙がバタつくことがあり、このバタつきに伴い機内の部品との接触等による枚葉紙の破れや折れ曲がりが発生することがある。
【０００４】
本発明が前述の状況に鑑み解決しようとするところは、搬送ミスを早期に検出することができ、よって機械の故障が起こりにくく、また、枚葉紙の破れや折れ曲がりを確実に検出できる枚葉印刷機の枚葉紙検出装置を提供することである。
【課題を解決するための手段】
【０００５】
前記課題を解決するために、本発明は、給紙部１と、該給紙部１から搬送される枚葉紙Ｐを各胴にて搬送しながら印刷を行う１以上の印刷ユニット２０ａ〜２０ｄと、排紙部２とを有し、前記印刷ユニット２０ａ〜２０ｄの前記枚葉紙Ｐ搬送方向上流側端部と前記排紙部２には枚葉紙検出器５０が設けられた枚葉印刷機において、前記印刷ユニット２０ａ〜２０ｄには紙端検出器５１が設けられており、この紙端検出器５１は前記枚葉紙Ｐの搬送方向と直行する幅方向左右に少なくとも１つずつ設けられ、かつ前記幅方向に移動可能とされたことを特徴としている。
【発明の効果】
【０００６】
本発明の請求項１記載の印刷機によれば、印刷ユニットには紙端検出器が設けられており、この紙端検出器は枚葉紙の搬送方向と直行する幅方向左右に少なくとも１つずつ設けられ、かつ幅方向に移動可能とされたので、各印刷ユニット毎に枚葉紙の搬送ミスを検出することができ、機械の故障等を極力防ぐことができ、また、枚葉紙サイズに応じて枚葉紙両側端の破れや折れ曲がりを確実に検出することができる。
【発明を実施するための最良の形態】
【０００７】
本発明の実施形態による枚葉印刷機について図１、２に基づき説明する。図１の概略全体図に示す通り、本実施例に係る印刷機は枚葉オフセット印刷機であり、給紙部１、印刷ユニット２０ａ〜２０ｄ、排紙部２により構成されている。各印刷ユニット２０ａ〜２０ｄ内には図示しないインキローラー群、版胴４、ゴム胴５、圧胴６がそれぞれ設けられている。各圧胴６間には渡し胴７が設けられる。圧胴６、渡し胴７には図示しないグリッパが設けられており、枚葉紙Ｐはこのグリッパにて先端が把持された状態で圧胴６、渡し胴７間を搬送される。符号８は給紙部１のフィーダーボード１ａ上から搬送される枚葉紙Ｐを圧胴６へ渡す給紙胴である。給紙胴にも前記のグリッパが設けられる。給紙部１に積載された枚葉紙Ｐはフィーダーボード１ａ上を矢印Ｚ方向へ進み、印刷ユニット２０ａへ搬送される。また、符号Ｍは印刷機駆動用のモータである。印刷ユニット２０ａには給紙側検出器５０ａが設けられている。また、排紙部２には排紙側検出器５０ｂが設けられている。そして各印刷ユニット２０ａ〜２０ｄ内には紙端検出器５１が設けられ、圧胴６上を通過する枚葉紙Ｐの通過を検知する。この給紙側・排紙側検出器５０ａ、５０ｂ、そして紙端検出器５１は枚葉紙Ｐの通過を検知すると、図示しない枚葉印刷機の制御部へ検出信号を出力するよう構成されている。制御部は給紙側５０ａの検出信号が入力されてから所定時間経過した時、印刷ユニット２０ａ内の紙端検出器５１の検出信号が入力されない場合、枚葉紙Ｐの落下等による搬送ミスと判断し、機械を停止するよう構成されている。制御部は印刷ユニット２０ａ内の紙端検出器５１の検出信号が入力されてから所定時間経過した時、次の印刷ユニット２０ｂ内の紙端検出器５１の検出信号が入力されない場合、同様に枚葉紙Ｐの落下等による搬送ミスと判断し、機械を停止するよう構成されている。もしくは警告ブザーを鳴らすようにしてもよい。以下、次以降の印刷ユニット２０ｃ、２０ｄの紙端検出器５１や排紙側検出器５０ｂの検出信号についても、制御部は同様の判断をするよう構成されている。よって、各ユニットの紙端検出器５１の存在により、制御部は早期に搬送ミスを検出することができ、機械の故障が起こりにくい。
【０００８】
図２に紙端検出器５１の詳細を示す。枚葉印刷機本体にはネジ軸５１ａが回転可能に設けられている。ネジ軸５１ａは枚葉紙Ｐの搬送方向と直行する枚葉紙Ｐの幅方向へ伸びている。ネジ軸５１ａは軸方向中央部で右ネジと左ネジに形成されている。また、ネジ軸５１ａにはセンサー５１ｂ、５１ｂが軸方向中央部に対して左右に１つずつ、合計二つ螺合されている。センサー５１ｂは図示しない廻り止め手段を有しており、ネジ軸５１ａが回転することにより、軸方向に移動可能となっている。前述の通り、ネジ軸は中央を境に左右ネジとなっているので、２つのセンサー５１ｂ、５１ｂは互いに接近する方向、また、互いに離れる方向に移動することとなる。尚、センサー５１ｂ、５１ｂのネジ軸５１ａの軸方向中央部からの距離は等しい位置（左右対称）となっている。よって、紙端検出センサ５１はそのセンサー５１ｂ、５１ｂの軸方向の位置を印刷する枚葉紙Ｐのサイズに応じて任意に変更することができる。ここで、オペレータが印刷する枚葉紙Ｐのサイズを選択すると、センサー５１ｂ、５１ｂがその枚葉紙Ｐの両側端に位置するように自動でセットすることも可能である。センサー５１ｂ、５１ｂはそれぞれ単独で検出信号を出力するので、例えば枚葉紙Ｐの片端が破れたりした場合も確実にそれを検出することができる。
【０００９】
本発明に係る枚葉印刷機の枚葉紙検出装置の機構は、上述した実施の形態に限定されず、特許請求の範囲で記載した範囲で種々の変形や改良が可能である。上述の実施の形態ではネジ軸５１ａは左右ネジとして構成されていたが、同方向のネジ軸として形成して軸方向中央部にて分断し、それぞれを別個のモータにて駆動するようにしてもよい。また、制御部の制御方法について、紙端検出器５１のセンサー５１ｂ、５１ｂの両方からの検出信号が入力されない場合は搬送ミスと判断して機械を停止するようにして、どちらか片方のセンサー５１ｂのみから検出信号が入力されない場合は機械を停止せず、警告ブザーやテープインサートを行って警告するだけにすることも可能である。また、給紙側・排紙側検出器５０ａ、５０ｂを紙端検出器５１とすることも可能である。
【産業上の利用可能性】
【００１０】
本発明に係る、枚葉印刷機の枚葉紙検出装置は、搬送ミスや紙の破れなどを検出する枚葉印刷機において極めて有用である。
【図面の簡単な説明】
【００１１】
【図１】本発明に係る枚葉紙検出装置を備えた枚葉オフセット印刷機の側面図。
【図２】本発明に係る枚葉紙検出装置を備えた枚葉オフセット印刷機の紙端検出器の部分拡大斜視図。
【図３】従来の技術に係る枚葉紙検出装置を備えた枚葉オフセット印刷機の側面図。
【符号の説明】
【００１２】
６              圧胴
５０ａ            給紙側検出器
５０ｂ            排紙側検出器
５１              紙端検出器
５１ａ            ネジ軸
５１ｂ            センサー
【図１】
2009126113.tif 000003
【図２】
2009126113.tif 000004
【図３】
2009126113.tif 000005